(57)【要約】      （修正有）【課題】全体が一体的で、かつ、立体的に形成された靴の中敷を提供する。足裏によくフィットし、クッション効果が高く、足裏のツボを刺激できる中敷を提供する。【解決手段】エチレン酢酸ビニル共重合樹脂を素材にして、インジェクション成形法で作られている。基板部１の厚さは、爪先側で薄く、踵側で厚い。基板部１には、長手方向にも、幅方向にも湾曲が付されている。踵部の周縁には膨出壁部２がある。基板部１の表面には、足裏のツボ刺激用の突起３が付いていて、突起３の形状は左右の足用で非対称である。【選択図】図１
0003146751.tif 000002
【実用新案登録請求の範囲】
【請求項１】
エチレン酢酸ビニル共重合樹脂を、加熱して金型内に射出するインジェクション成形法で一体的に作られ、靴に合わせた周縁形状を有する基板部１は、その厚さが、爪先側で薄く、踵側で厚くなっており、更に、基板部１には長手方向に、緩やかな湾曲が付されていて、爪先部と土踏まず部とが他部に比べて高くなっており、かつ、基板部１には幅方向にも、緩やかな湾曲が付されていて、周縁部がやや高くなっており、その上、踵部の周縁には、傾斜状に膨出壁部２が形成され、更に、基板部１の表面には、足裏ツボ刺激用の突起３が多数形成されている靴の中敷。
【請求項２】
基板部１の裏面に、屈曲促進用の細溝７が複数本形成されている、請求項１記載の靴の中敷。
【請求項３】
基板部１の板面に、水抜き用の貫通孔が複数個形成されている、請求項１又は２記載の靴の中敷。
【請求項４】
踵の膨出壁部２の外壁に、周方向に突条６が形成されている、請求項１、２又は３記載の靴の中敷。
【請求項５】
突起３の形状が、左右の足用で非対称になっていて、突起３の上表面に、多数の微小突起４が形成されている、請求項１，２，３又は４記載の靴の中敷。
【考案の詳細な説明】
【技術分野】
【０００１】
この考案は、靴の内部に、着脱自在に挿入して用いる中敷の改良に関する。
【背景技術】
【０００２】
従来の靴の中敷は、その素材としては、各種の繊維、ゴム、合成樹脂などを用い、これらの平板状のものから、プレス裁断によって作られるのが一般的である。また、足裏のツボを刺激するため、中敷の表面に多数の突起を形成した、健康型のものは、平板状の中敷本体に、後から突起を接着などによって、付着させて製造されている。（例えば、特許文献１参照）
【０００３】
【特許文献１】実用新案登録第３０９０８０８号
【考案の開示】
【考案が解決しようとする課題】
【０００４】
ところが、前記の平板状の中敷では、厚さが均一で、かつ、薄いので、充分なクッション性がなく、歩行時に不快な痛みを感じることがあり、その上、表面が全体として平坦で、足裏の形状に沿っていないため、足裏とのなじみが悪くて、足へのフィット感が乏しいという問題がある。更に、ツボ刺激用の突起を、後から付着させる製造法では、製造工程が２工程になって、製造コストが高くなる他、使用時に、突起が離脱し易いという欠点がある。
【０００５】
本考案は、このような点を解消し、柔軟で、クッション性が高く、足裏とよくフィットして、履き心地のよい中敷を提供するにある。更に、本考案は、全体が一体的、かつ、立体的に成形された中敷を提供するにある。
【課題を解決するための手段】
【０００６】
本考案の靴の中敷は、エチレン酢酸ビニル共重合樹脂を、加熱して金型内に射出するインジェクション成形法で一体的に作られ、靴に合わせた周縁形状を有する基板部は、その厚さが、爪先側で薄く、踵側で厚くなっており、更に、基板部には長手方向に、緩やかな湾曲が付されていて、爪先部と土踏まず部とが他部に比べて高くなっており、かつ、基板部には幅方向にも、緩やかな湾曲が付されていて、周縁部がやや高くなっており、その上、踵部の周縁には、傾斜状に膨出壁部が形成され、更に、基板部の表面には、足裏ツボ刺激用の突起が多数形成されていることにある。
【０００７】
また、基板部の裏面に、屈曲促進用の細溝を複数本形成してもよい。更に、基板部の板面に、水抜き用の貫通孔を複数個形成してもよい。また、踵部の膨出壁部の外壁に、周方向に突条を形成してもよい。更に、突起の形状を、左右の足用で非対称にし、かつ、突起の上表面に、多数の微小突起を形成してもよい。
【考案の効果】
【０００８】
本考案の中敷は、エチレン酢酸ビニル共重合樹脂を用いて、インジェクション成形法で作られていて、厚さは、爪先側で薄く、踵側で厚く、その上、長手方向にも、幅方向にも、湾曲が付され、踵部の周縁には、傾斜状に膨出壁部が形成されている。即ち、立体的に形成されているため、足裏によくフィットし、極めて履き心地がよい上に、脱げにくいという利点がある。厚みのあるエチレン酢酸ビニル共重合樹脂製のため、クッション効果が高く、充分な衝撃吸収効果が得られる。その上、エチレン酢酸ビニル共重合樹脂は、柔らかな素材であるため、個人差のある足の形状にも柔軟に対応でき、また、素材的に断熱効果が高いため、保温効果も期待できる。また、湾曲成形によって、爪先上がりになっているので、歩行時の安定がよく、つまづきを防止できる。更に、本考案の中敷では、表面に多数の突起があるので、歩行時に足裏のツボを刺激でき、健康促進を期待できる。また、靴に対して、中敷の着脱が自在であるから、破損時の交換が容易で、用途に応じての取替え使用が可能であり、また、取り出して、簡単に手洗いすることができる。その上、特定の靴に合わせて成形した時は、靴内での安定が極めて良く、履き心地も満点である。更に、本考案の中敷は、全体が一体的に形成されているので、耐久性がよく、かつ、製造が容易であり、廉価に提供可能である。
【０００９】
請求項２のものでは、細溝によって、中敷の屈曲性が高くなっているので、運動時の足の捩れなどに対しても、よく順応できる。
【００１０】
請求項３のものでは、貫通孔があるので、足裏に溜まった汗や、外部から浸入した水を抜くことができ、通気効果もあるので、使用感が非常に良い。
【００１１】
請求項４のものでは、踵部に突条が付いていて、靴に装着した時に、突条の弾性によって、中敷には、常時、靴の爪先方向への押圧力が作用するので、靴内での安定が良い。
【００１２】
請求項５のものでは、微小突起が付いているので、歩行時の足滑りを防止でき、フィット性がよく、脱げにくいという利点がある。その上、足裏と突起表面とが完全に密着せず、足裏との間に空間ができるので、足からの汗や、外部から浸入した水による、ぬめりを防止できる。更に、突起が、左右の足用で非対称になっているので、東洋医学による足裏の反射区によく対応し、足裏に対して効果的な刺激を加えることができる。
【考案を実施するための最良の形態】
【００１３】
本考案の中敷の最良の形態を、図面の実施例について説明する。本考案の中敷の素材には、エチレン酢酸ビニル共重合樹脂（以下、ＥＶＡという）を用いる。製造法としては、インジェクション成形方法、即ち、樹脂を加熱して流動化させ、これを金型の内部に射出注入し、金型の内部で冷却固化させる方法を用いる。このため、金型を変えることによって、自由な形状の中敷を作ることができる。厚さの調整の他、凹凸や湾曲の付加など、成形は自由であり、立体的で、全体が一体になった中敷を簡単に製造できる。更に、使用樹脂の調整により、製造過程で、材質の硬度調整ができるから、用途に応じた硬度の中敷を自由に作ることができる。
また、本考案は、一般的な靴に用いる、汎用使用形式の中敷にも利用可能であるが、主として、本考案は、特定された１種類の靴にのみ利用する専用型の中敷として、大きな効果を期待できる。
【００１４】
次に、図１〜５の実施例について、詳細に説明する。図１は、中央切断端面図であり、１は中敷の基板部である。その厚さは、足先側で薄く、踵側で厚くなっている。実施例では、足先側が約２〜４ｍｍ、踵側が約４〜６ｍｍである。更に、全体的に緩やかに湾曲させられていて、足先部と、土踏まず部とが、他に比べて高くなっている。実施例では、足先では、約５〜７ｍｍ、土踏まず部では、約６〜８ｍｍだけ高くなっている。更に、踵部では、周縁部を、足の形状に合わせて湾曲状に盛り上げて、傾斜状に膨出壁部２が形成されている。
【００１５】
基板部１の表面には、ツボ刺激用の突起３が多数形成されている。突起３の高さは、２〜５ｍｍが適当である。突起３は、足裏のツボの位置に合わせて、位置決めし、大きさや形状などを定める。人間の足裏のツボが、左右で異なるので、突起の形状や位置も、左右の中敷では異ならせ、左右非対称になっている。また、突起の高さに、多少の高低差を設けて、ツボの刺激効果を高めたり、足へのフィット感の向上を図ったりしてもよい。更に、足裏と接触する、突起３の上表面に、高さ１〜２ｍｍの微小突起４が設けられている。これによって、突起と足裏との滑りを無くすと共に、両者が全面的に密着しないようにして、履き心地の向上を図ることができる。
【００１６】
基板部１の板面には、適当な位置に、直径１〜３ｍｍの表裏への貫通孔５が適数（１０〜１５個）設けられている。これにより、内部に溜まった水などを抜くことができ、また、通気性を持たすこともできる。また、膨出壁部２の外面に、高さ２〜５ｍｍの突条６が周方向に設けられている。このため、中敷を靴の中に挿入した時には、この突条６が、靴の内壁と接触して、中敷に対して、常時、爪先方向への押圧力を加えるので、靴内での中敷の安定が良くなる。更に、基板部１の裏面には、幅１〜３ｍｍ、深さ１〜２ｍｍ程度の細溝７が、縦横に適当本数形成されている。従って、中敷の屈曲性が良くなり、運動時の足の捩れなど対しても、中敷がよく順応するようになる。
【００１７】
本考案は、前記の実施例に限定されるものではなく、実用新案登録請求の範囲の記載の範囲内で自由に変形実施可能である。
【図面の簡単な説明】
【００１８】
【図１】中敷のＡ−Ａ線切断端面図。
【図２】中敷の表面図。
【図３】中敷の裏面図。
【図４】Ｂ−Ｂ線切断端面図。
【図５】Ｃ−Ｃ線切断端面図。
【符号の説明】
【００１９】
１    基板部
２    踵縁壁部
３    突起
４    微小突起
５    貫通孔
６    突条
７    細溝
【図１】
0003146751.tif 000003
【図２】
0003146751.tif 000004
【図３】
0003146751.tif 000005
【図４】
0003146751.tif 000006
【図５】
0003146751.tif 000007